(57)【特許請求の範囲】
【請求項１】
原稿画像を読み取ったイメージセンサから出力されるビデオ信号をカップリングコンデンサを介してＡ／Ｄ変換回路に入力すると共に、前記カップリングコンデンサを、定期的にＯＮ／ＯＦＦされる直流再生信号により駆動されるスイッチを介して所定レベルの直流電圧に接続することにより、前記イメージセンサから前記Ａ／Ｄ変換回路に入力されるビデオ信号の直流レベルを前記所定レベルにクランプする直流再生回路を備え、その直流再生回路により前記所定レベルにクランプされた前記ビデオ信号を前記Ａ／Ｄ変換回路によりＡ／Ｄ変換して画像データを得る画像読取装置において、システム電源投入後リセット状態が解除されるまでの間は、常時ＯＮ状態の前記直流再生信号を前記直流再生回路に供給し、システム電源投入後リセット状態が解除された後には、定期的にＯＮ／ＯＦＦされる定常状態の前記直流再生信号を前記直流再生回路に供給する直流再生信号供給手段を備えたことを特徴とする画像読取装置。
【請求項２】
原稿画像を読み取ったイメージセンサから出力されるビデオ信号をカップリングコンデンサを介してＡ／Ｄ変換回路に入力すると共に、前記カップリングコンデンサを、定期的にＯＮ／ＯＦＦされる直流再生信号により駆動されるスイッチを介して所定レベルの直流電圧に接続することにより、前記イメージセンサから前記Ａ／Ｄ変換回路に入力されるビデオ信号の直流レベルを前記所定レベルにクランプする直流再生回路を備え、その直流再生回路により前記所定レベルにクランプされた前記ビデオ信号を前記Ａ／Ｄ変換回路によりＡ／Ｄ変換して画像データを得る画像読取装置において、システム電源投入後リセット状態が解除されると定期的にＯＮ／ＯＦＦされる定常状態の前記直流再生信号の前記直流再生回路への供給を開始する直流再生信号供給手段と、直流再生信号供給手段が定期的にＯＮ／ＯＦＦされる定常状態の直流再生信号の前記直流再生回路への供給を開始した後に前記イメージセンサへの電源供給を開始するイメージセンサ電源供給手段とを備えたことを特徴とする画像読取装置。
【請求項３】
前記メージセンサ電源供給手段が前記イメージセンサへの電源供給を開始した後に、前記イメージセンサへの駆動信号の供給を開始するイメージセンサ駆動信号供給手段を備えたことを特徴とする請求項２に記載の画像読取装置。
【請求項４】
前記イメージセンサに供給される駆動信号をバッファリングするバッファ回路を備え、前記イメージセンサと共に前記バッファ回路に対して、前記イメージセンサ電源供給手段から電源を供給すると共に、前記バッファ回路を、電源電圧以上の入力電圧を許容する回路により構成したことを特徴とする請求項２に記載の画像読取装置。
【請求項５】
前記イメージセンサの駆動信号入力端子を、電源電圧以上の入力電圧を許容する回路により構成したことを特徴とする請求項２に記載の画像読取装置。
【発明の詳細な説明】
【０００１】
【発明の属する技術分野】
本発明は、画像読取装置に関し、特に、原稿画像を読み取ったイメージセンサから出力されるビデオ信号をカップリングコンデンサを介してＡ／Ｄ変換回路に入力すると共に、前記カップリングコンデンサを、定期的にＯＮ／ＯＦＦされる直流再生信号により駆動されるスイッチを介して所定レベルの直流電圧に接続することにより、前記イメージセンサから前記Ａ／Ｄ変換回路に入力されるビデオ信号の直流レベルを前記所定レベルにクランプする直流再生回路を備え、その直流再生回路により前記所定レベルにクランプされた前記ビデオ信号を前記Ａ／Ｄ変換回路によりＡ／Ｄ変換して画像データを得る画像読取装置に関する。
【０００２】
【従来の技術】
図１１に示すように、センサユニット６ａと画像処理部６ｂにより構成される読取部６により原稿画像を読み取る従来の画像読取装置として、センサユニット６ａ側に搭載されたＣＣＤ２０等のイメージセンサからのビデオ信号を、画像処理部６ｂ側のＡ／Ｄ変換回路の変換可能電圧範囲内に納めるために、直流再生回路３０により所定の直流レベルにクランプするための直流再生回路３０を持つものが知られている。
【０００３】
この画像読取装置において、画像処理部６ｂ側のタイミングジェネレータ３３から生成されたＣＣＤ駆動信号は、センサユニット６ａ上のバッファ２２を介してＣＣＤ２０に供給される。原稿を読み取った光情報は、読みとり光学系を経由してＣＣＤ２０に入射され、ＣＣＤ２０の光電変換によりアナログ画情報であるビデオ信号として出力され、ビデオ回路２１を経由して、直流再生回路３０に入力される。
【０００４】
図１２に示すように、直流再生回路３０は、原理的には、カップリングコンデンサＣとアナログスイッチＡＳＷとにより構成されている。センサユニット６ａ側のビデオ回路２１からＡ／Ｄ変換回路３１に入力されるビデオ信号は直流再生回路３０のカップリングコンデンサＣを通して直流成分が除去されてＶｉｎ端子に信号ＡＤＩＮとして入力される。一方、アナログスイッチＡＳＷは、ビデオ信号の有効画素以外に設けられた所定のタイミングで直流再生信号により定期的にＯＮされ、それにより、Ｖｉｎ端子がＡ／Ｄ変換回路３１の下限参照電圧Ｖｒｅｆ−でもある下限基準電圧３１ｂに定期的に接続されることになる。それにより、ビデオ回路２１からの信号は、Ａ／Ｄコンターの下限参照電圧と同じ電圧にクランプされ、ＣＣＤ２０が受光した光強度に応じたレベルのビデオ信号が、Ａ／Ｄ変換回路３１の量子化範囲を逸脱することなく、正しくＡ／Ｄ変換され、そのまま多値の画像データとしては、または、２値化回路３２を介して２値化画像データとして得られることになる。
【０００５】
しかし、このような構成を持つ読取部６により原稿画像を読み取り場合、次のような不具合が発生していた。
【０００６】
つまり、図１３のタイミングチャートに示すように、画像処理部６ｂに供給されるシステムの電源がＯＮされると、まずシステム電源（例えば＋５Ｖ）が立ち上がり、画像処理部６ｂの動作が開始される一方、センサユニット６ａに供給されるＣＣＤ電源が画像処理部６ｂに供給されるシステムの電源とは別系統（例えば＋１２Ｖ）である場合には、画像処理部６ｂとはずれたタイミングでセンサユニット６ａの電源が立ち上がり、同じ電源であれば、システム電源と同じタイミングで立ち上がることになる。
【０００７】
【発明が解決しようとする課題】
一方、システム全体のリセット信号は、システム電源が十分に立ち上がった後に解除するようにしないと、システムを構成する各回路を初期化できないため、システム電源が十分に立ち上がった後に解除される構成となっている。
【０００８】
そのため、画像処理部６ｂ側のタイミングジェネレータ３３には、システム電源が立ち上がった後も、しばらくの間は、直流再生信号を含む各種タイミング信号を発生できない期間が存在する。
【０００９】
その直流再生信号が直流再生回路３０に供給されない期間にも、既に立ち上がっているＣＣＤ駆動電源によりセンサユニット６ａが動作しているために、ビデオ回路２１を介して直流電圧成分を含むビデオ信号がカップリングコンデンサＣに入力され、そのカップリングコンデンサＣには、アナログスイッチＡＳＷがＯＮすることによる電荷の放電がないまま、電荷が蓄積され続け、しまいには、図１３示すように、後段のＡ／Ｄ変換回路３１の入力端に定格電圧上限値Ｖｕを越える電圧が入力される場合が発生して、Ａ／Ｄ変換回路３１が規格外の過大入力のために破壊されるなど、信頼性に問題があった。
【００１０】
特に昨今は、省エネルギー対策として、ＦＡＸやコピーなどの構成として画像読取装置を含む装置は、待機中にはシステム各部への電源供給を停止する、いわゆる省エネ機能を持つものが増えてきているため、システム電源のＯＮ／ＯＦＦ回数が格段に多くなり、Ａ／Ｄ変換回路３１に規格外の過大なレベルの信号が入力されてしまう機会が増して、信頼性上いっそう好ましくないという問題点があった。
【００１１】
本発明は係る事情に鑑みてなされたものであり、システム電源投入時にビデオ信号をＡ／Ｄ変換する回路に過大レベルの信号が入力されることのない画像読取装置を提供することを目的とする。
【００１２】
【課題を解決するための手段】
請求項１に記載の画像読取装置は、原稿画像を読み取ったイメージセンサから出力されるビデオ信号をカップリングコンデンサを介してＡ／Ｄ変換回路に入力すると共に、前記カップリングコンデンサを、定期的にＯＮ／ＯＦＦされる直流再生信号により駆動されるスイッチを介して所定レベルの直流電圧に接続することにより、前記イメージセンサから前記Ａ／Ｄ変換回路に入力されるビデオ信号の直流レベルを前記所定レベルにクランプする直流再生回路を備え、その直流再生回路により前記所定レベルにクランプされた前記ビデオ信号を前記Ａ／Ｄ変換回路によりＡ／Ｄ変換して画像データを得る画像読取装置において、システム電源投入後リセット状態が解除されるまでの間は、常時ＯＮ状態の前記直流再生信号を前記直流再生回路に供給し、システム電源投入後リセット状態が解除された後には、定期的にＯＮ／ＯＦＦされる定常状態の前記直流再生信号を前記直流再生回路に供給する直流再生信号供給手段を備えたことを特徴とする。
【００１４】
請求項２に記載の画像読取装置は、原稿画像を読み取ったイメージセンサから出力されるビデオ信号をカップリングコンデンサを介してＡ／Ｄ変換回路に入力すると共に、前記カップリングコンデンサを、定期的にＯＮ／ＯＦＦされる直流再生信号により駆動されるスイッチを介して所定レベルの直流電圧に接続することにより、前記イメージセンサから前記Ａ／Ｄ変換回路に入力されるビデオ信号の直流レベルを前記所定レベルにクランプする直流再生回路を備え、その直流再生回路により前記所定レベルにクランプされた前記ビデオ信号を前記Ａ／Ｄ変換回路によりＡ／Ｄ変換して画像データを得る画像読取装置において、システム電源投入後リセット状態が解除されると定期的にＯＮ／ＯＦＦされる定常状態の前記直流再生信号の前記直流再生回路への供給を開始する直流再生信号供給手段と、直流再生信号供給手段が定期的にＯＮ／ＯＦＦされる定常状態の直流再生信号の前記直流再生回路への供給を開始した後に前記イメージセンサへの電源供給を開始するイメージセンサ電源供給手段とを備えたことを特徴とする。
【００１５】
請求項３に記載の画像読取装置は、請求項２に記載の画像読取装置において、前記メージセンサ電源供給手段が前記イメージセンサへの電源供給を開始した後に、前記イメージセンサへの駆動信号の供給を開始するイメージセンサ駆動信号供給手段を備えたことを特徴とする。
【００１６】
請求項４に記載の画像読取装置は、請求項２に記載の画像読取装置において、前記イメージセンサに供給される駆動信号をバッファリングするバッファ回路を備え、前記イメージセンサと共に前記バッファ回路に対して、前記イメージセンサ電源供給手段から電源を供給すると共に、前記バッファ回路を、電源電圧以上の入力電圧を許容する回路により構成したことを特徴とする。
【００１７】
請求項５に記載の画像読取装置は、請求項２に記載の画像読取装置において、前記イメージセンサの駆動信号入力端子を、電源電圧以上の入力電圧を許容する回路により構成したことを特徴とする。
【００１８】
【発明の実施の形態】
以下、添付図面を参照しながら、本発明の実施の形態を詳細に説明する。
【００１９】
先ず、図１は、本発明の実施の形態に係る画像読取装置としてのファクシミリ装置１のブロック構成を示している。
【００２０】
同図において、ファクシミリ装置１は、システム制御部２、ＲＯＭ３、ＲＡＭ４、スキャナ５、プロッタ６、電源７、符号化復号化部８、操作表示部９、モデム１０、網制御部１１、及び、システムバス１２により構成されている。
【００２１】
システム制御部２は、ＲＯＭ３書き込まれた制御プログラムに従って、ＲＡＭ４を作業領域として使用しながら、装置各部を制御するものである。
【００２２】
ＲＯＭ３は、前述したように、システム制御部２が上記装置各部を制御するための制御プログラムが記憶されているリードオンリメモリである。
【００２３】
ＲＡＭ４は、前述したようにシステム制御部２の作業領域として使用されるランダムアクセスメモリである。
【００２４】
記録部５は、受信した画像データや、読取部５で読み取った画像データを、記録紙に記録出力するためのものである。
【００２５】
読取部６は、原稿画像を読み取って画像データを得るためのもので、基本的には、図１１及び図１２に示した読取部６と同様の構成である。
【００２６】
図１１において、読取部６は、センサユニット６ａと画像処理部６ｂにより構成されている。センサユニット６ａ側に搭載されたイメージセンサであるＣＣＤ２０等からのビデオ信号は、ビデオ回路２１により前処理されて、画像処理部６ｂ側のＡ／Ｄ変換回路３１の変換可能電圧範囲内に納めるために、直流再生回路３０により所定の直流レベルにクランプしてから、Ａ／Ｄ変換回路３１に入力される。Ａ／Ｄ変換回路３１に入力されたビデオ信号がＡ／Ｄ変換回路３１によりアナログ／ディジタル変換れさて得られた多値の画像データは、そのまま後段の処理に送られるか、または、２値化回路３２により２値化されて後段の処理に送られる。
【００２７】
画像処理部６ｂ側のタイミングジェネレータ３３は、Ａ／Ｄ変換回路３１の動作に必要なクロック信号（ＡＤＣＬＫ）や、２値化回路３２の動作に必要なクロック信号を供給したり、直流再生回路３０に対して、定期的にＯＮ／ＯＦＦする直流再生信号を供給したり、センサユニット６ａ側のＣＣＤ２０に対して動作に必要なＣＣＤ駆動信号を供給する。なお、ＣＣＤ２０に対して供給されるＣＣＤ駆動信号は、センサユニット６ａ側のバッファ回路２２によりバッファリングされる。
【００２８】
原稿を読み取った光情報は、読みとり光学系を経由してＣＣＤ２０に入射され、ＣＣＤ２０の光電変換によりアナログ画情報であるビデオ信号として出力され、ビデオ回路２１を経由して、直流再生回路３０に入力される。
【００２９】
図１２に示すように、直流再生回路３０は、カップリングコンデンサＣとアナログスイッチＡＳＷとにより構成されている。センサユニット６ａ側のビデオ回路２１からＡ／Ｄ変換回路３１に入力されるビデオ信号は直流再生回路３０のカップリングコンデンサＣを通して直流成分が除去されてＶｉｎ端子に信号ＡＤＩＮとして入力される。一方、アナログスイッチＡＳＷは、ビデオ信号の有効画素以外に設けられた所定のタイミングで直流再生信号により定期的にＯＮされ、それにより、Ｖｉｎ端子がＡ／Ｄ変換回路３１の下限参照電圧Ｖｒｅｆ−でもある下限基準電圧３１ｂに定期的に接続されることになる。それにより、ビデオ回路２１からの信号は、Ａ／Ｄコンターの下限参照電圧と同じ電圧にクランプされ、ＣＣＤ２０が受光した光強度に応じたレベルのビデオ信号が、Ａ／Ｄ変換回路３１の量子化範囲（下限参照電圧Ｖｒｅｆ−から上限参照電圧Ｖｒｅｆ＋まで）を逸脱することなく、正しくＡ／Ｄ変換され、そのまま多値の画像データとしては、または、２値化回路３２を介して２値化画像データとして得られることになる。
【００３０】
図１に戻って、電源７は、電源スイッチＰＳＷがＯＮされると装置各部に電源を供給するもので、その供給電源には、システム制御部２、ＲＯＭ３、ＲＡＭ４、読取部６の画像処理部６ｂ等のロジック系に供給される５Ｖ電源と、読取部６のセンサユニット６ａ等のアナログ系に供給される１２Ｖ電源が含まれる。
【００３１】
符号化復号化部８は、送信画像データを、Ｇ３ファクシミリに適合する、ＭＨ符号化方式、ＭＲ符号化方式、ＭＭＲ符号化方式等の所定の符号化方式で符号化圧縮する一方、受信画像データをＭＨ符号化方式、ＭＲ符号化方式、ＭＭＲ符号化方式等に対応する所定の復号化方式で復号伸長するものである。
【００３２】
操作表示部９は、相手先ファクシミリ番号を指定するためのテンキー、送信スタートキー、ワンタッチダイヤルキー、及び、その他各種キーが配設される一方、液晶表示装置等の表示器を備え、ユーザに知らせるべき装置の動作状態や、各種メッセージを表示するものである。
【００３３】
モデム１０は、Ｇ３ファクシミリモデムであり、送信データを変調する一方、受信データを復調するものである。また、モデム１０は、入力されたダイヤル番号に対応してＤＴＭＦ信号の送出も行う。網制御部１１は、図示しない電話回線接続されて、回線の直流ループの閉結・解放や、回線の極性反転の検出、回線解放の検出、発信音の検出、ビジートーン等のトーン信号の検出、呼出信号の検出等の回線との接続制御や、ダイヤルパルスの生成を行うものである。システムバス１２は、上記各部がデータをやり取りするための信号ラインである。
【００３４】
次に、以上の構成のファクシミリ装置１にける読取部６の構成の第１例ないし第６例について、以下説明する。
【００３５】
先ず、読取部６の構成の第１例について説明する。
【００３６】
この第１例の構成では、図１１及び図１２に示した構成の読取部６の画像処理部６ｂのタイミングジェネレータ３３を図２に示すように構成する。
【００３７】
同図に示すタイミングジェネレータ３３においては、各種制御信号発生回路４０からの制御により、直流再生信号発生回路４１からは、定期的にＯＮ／ＯＦＦが繰り替えされる定常状態の直流再生信号が出力され、また、ＣＣＤ駆動信号発生回路４２からは、ＣＣＤ２０を駆動するＣＣＤ駆動信号が出力される。ただし、直流再生信号発生回路４１が定常状態の直流再生信号の出力を開始し、ＣＣＤ駆動信号発生回路４２がＣＣＤ駆動信号の出力を開始するのは、システムリセット回路１４から、各種制御信号発生回路４０に入力されるリセット信号（負論理）が解除されてから、すなわち、ＬレベルからＨレベルになってからである。
【００３８】
したがって、直流再生信号発生回路４１からの直流再生信号を直流再生回路３０に直接供給してしまうと、図１３示したように、電源投入時において、直流再生信号が定期的にＯＮ／ＯＦＦが繰り替えされる定常状態になる前にシステム電源（５Ｖ）やＣＣＤ電源（１２Ｖ）が投入されてしまって、アナログスイッチＡＳＷがＯＮされない状態でカップリングコンデンサＣに直流成分を含むビデオ信号が入力されてしまってカップリングコンデンサＣに電荷がたまり続け、Ａ／Ｄ変換回路３１の入力電圧Ｖinが定格電圧上限Ｖｕを越えてしまうおそれがあった。
【００３９】
しかし、この第１例では、直流再生信号発生回路４１からの直流再生信号を直流再生回路３０に直接供給しないで、マルチプレクサ４３の入力端子Ｂに入力するようにし、また、もマルチプレクサ４３の入力端子Ａには、＋５Ｖ検知回路１３からの＋５Ｖ検知信号が入力され、入力選択端子Ｓには、システムリセット回路１４からのリセット信号が入力され、出力Ｙから、直流再生回路３０に供給する直流再生信号を取り出すようにしている。＋５Ｖ検知回路１３としては、５Ｖ電源をシュミットトリガ回路で受ける構成のものでもよいし、専用のリセット回路からの＋５Ｖ検知出力を使用するようにしてもよい。
【００４０】
そのように構成することにより、電源投入初期のリセット信号がアクティブ（Ｌレベル）の期間においては、図３に示すように、出力Ｙから直流再生回路３０に供給される直流再生信号は、＋５Ｖの常時ＯＮ状態となる。それにより、電源が投入されてからリセット信号が解除されるまでの間にカップリングコンデンサＣに電荷がたまり続けることがなくなる。なお、リセット信号がネゲート（Ｈレベル）の期間においては、図３に示すように、出力Ｙから直流再生回路３０に供給される直流再生信号は、定期的にＯＮ／ＯＦＦする定常状態の信号となり、直流再生回路３０における直流クランプ動作は正常に行われる。
【００４１】
次に、読取部６の構成の第２例について説明する。
【００４２】
この第２例は、第１例における図２に示したタイミングジェネレータ３３の構成を、図４に示すように若干変更したのである。
【００４３】
図４において、図２の構成と異なる点は、ＣＣＤ駆動信号発生回路４２からの出力を直接ＣＣＤ２０の駆動信号として供給するのではなく、ＣＣＤ駆動信号発生回路４２からの出力をアンドゲートＧ１の一方の入力端子に入力する一方、＋５Ｖ検知回路からの＋５Ｖ検知信号を抵抗Ｒ１を介してコンデンサＣ１に充電する構成とし、その抵抗Ｒ１とコンデンサＣ１との接続点をアンドゲートＧ１の他方の入力端子に入力し、アンドゲートＧ１の出力を、ＣＣＤ２０の駆動信号として供給するようにした点である。
【００４４】
それにより、コンデンサＣ１の充電電圧の立ち後れにより、電源投入初期には、アンドゲートＧ１からはＬレベルが出力され、電源投入後、抵抗Ｒ１の抵抗値とコンデンサＣ１の容量より決まる時定数程度遅れて、アンドゲートＧ１からはＣＣＤ駆動信号発生回路からの出力がそのまま出力されることになる。
【００４５】
したがって、抵抗Ｒ１の抵抗値とコンデンサＣ１の容量を適当に設定することで、図５に示すように、ＣＣＤ駆動信号のＣＣＤ２０への供給の開始を、定常状態の直流再生信号の直流再生回路３０への供給開始後まで遅らせることが可能となる。
【００４６】
それにより、たとえ、ＣＣＤ電源（＋１２Ｖ）が、システム電源（＋５Ｖ）よりもはやく立ち上がるような場合でも、電源が投入されてからリセット信号が解除されるまでの間に、ＣＣＤ駆動信号によりＣＣＤ２０が駆動されてしまってカップリングコンデンサＣに電荷がたまり続けてしまうことがなくなる。なお、アンドゲートＧ１によるＣＣＤ駆動信号のゲーティングは、ＲＣ遅延回路ではなく、システム制御部２からの制御信号によりソフトウェア的に行うようにしてもよい。
【００４７】
次に、読取部６の構成の第３例について説明する。
【００４８】
この第３例は、第１例における図１１に示した読取部６の構成を、図６に示すように若干変更したのである。
【００４９】
図６において、図１１の構成と異なる点は、センサユニット６ａのＣＣＤ２０や、そのＣＣＤ２０からの信号を処理するビデオ回路２１に対してＣＣＤ電源（＋１２Ｖ）を直接供給するのではなく、スイッチＳＷ１を介して供給するようにした点である。
【００５０】
スイッチＳＷ１は、システム制御部２からのＣＣＤ電源制御信号によりＯＮ／ＯＦＦされる。システム制御部２は、電源投入後、システムリセット信号が解除されて直流再生信号が定常状態になるのに十分な時間待った後、スイッチＳＷ１がＣＣＤ電源制御信号によりＯＮされて、ＣＣＤ２０やビデオ回路２１へのＣＣＤ電源（＋１２Ｖ）の供給が開始される。
【００５１】
したがって、図７に示すように、ＣＣＤ電源（＋１２Ｖ）のＣＣＤ２０やビデオ回路２１への供給の開始を、定常状態の直流再生信号の直流再生回路３０への供給開始後まで遅らせることが可能となる。
【００５２】
それにより、電源が投入されてからリセット信号が解除されるまでの間に、ＣＣＤ電源が供給されてＣＣＤ２０からのビデオ信号が直流再生回路３０に入力、されてしまってカップリングコンデンサＣに電荷がたまり続けてしまうことがなくなる。なお、スイッチＳＷ１のＯＮ／ＯＦＦは、システム制御部２からのＣＣＤ電源制御信号によってではなく、ＲＣ遅延回路等のハードウェア的な構成によってもよい。
【００５３】
次に、読取部６の構成の第４例について説明する。
【００５４】
この第４例は、第３例における図６に示した読取部６の構成を、図８に示すように若干変更したのである。
【００５５】
図８において、図６の構成と異なる点は、タイミングジェネレータ３３からのＣＣＤ駆動信号出力を直接ＣＣＤ２０の駆動信号として供給するのではなく、アンドゲートＧ２の一方の入力端子に入力する一方、システム制御部２２からの駆動信号制御信号をアンドゲートＧ２の他方の入力端子に入力し、アンドゲートＧ２の出力を、ＣＣＤ２０の駆動信号として供給するようにした点である。
【００５６】
システム制御部２は、電源投入後、システムリセット信号が解除されて直流再生信号が定常状態になるのに十分な時間待った後、スイッチＳＷ１をＣＣＤ電源制御信号によりＯＮして、ＣＣＤ２０やビデオ回路２１へのＣＣＤ電源（＋１２Ｖ）の供給を開始した後に、駆動信号制御信号をＨレベルにして、ＣＣＤ２０へのＣＣＤ駆動信号の供給を開始する。
【００５７】
したがって、図９に示すように、ＣＣＤ電源（＋１２Ｖ）のＣＣＤ２０やビデオ回路２１への供給の開始を、定常状態の直流再生信号の直流再生回路３０への供給開始後まで遅らせ、更に、ＣＣＤ２０へのＣＣＤ駆動信号の供給を、ＣＣＤ２０やビデオ回路２１への供給の開始に遅らせることが可能となる。
【００５８】
それにより、電源が投入されてからリセット信号が解除されるまでの間に、ＣＣＤ電源が供給されてＣＣＤ２０からのビデオ信号が直流再生回路３０に入力されてしまってカップリングコンデンサＣに電荷がたまり続けてしまうことがなくなるばかりでなく、ＣＣＤ２０やビデオ回路２１に電源が供給されていない状態でＣＣＤ駆動信号が供給されてＣＣＤ２０を破壊してしまうようなことがなくなる。
【００５９】
次に、読取部６の構成の第５例について説明する。
【００６０】
この第５例は、第３例における図６に示した読取部６の構成を、図１０に示すように若干変更したのである。
【００６１】
図１０において、図６の構成と異なる点は、センサユニット６ａのＣＣＤ２０や、そのＣＣＤ２０からの信号を処理するビデオ回路２１に対してのみならず、バッファ用電源回路２３にも、スイッチＳＷ１を介して供給するようにしたことと、センサユニット６ａにおいてＣＣＤ駆動信号をバッファリングするバッファ回路２２ａを、電源電圧よりも高い入力電圧を許容し、入力電圧が電源電圧よりも高い場合でも破壊されない、いわゆるパワーダウンプロテクション回路であるＶＨＣ回路により構成すると共に、バッファ回路２２ａをバッファ用電源回路２３からの電源により動作するようにした点である。
【００６２】
スイッチＳＷ１は、システム制御部２からのＣＣＤ電源制御信号によりＯＮ／ＯＦＦされる。システム制御部２は、電源投入後、システムリセット信号が解除されて直流再生信号が定常状態になるのに十分な時間待った後、スイッチＳＷ１をＣＣＤ電源制御信号によりＯＮして、ＣＣＤ２０、ビデオ回路２１、バッファ用電源回路２３へのＣＣＤ電源（＋１２Ｖ）の供給が開始される。
【００６３】
したがって、図７に示すように、ＣＣＤ電源（＋１２Ｖ）のＣＣＤ２０やビデオ回路２１への供給の開始を、定常状態の直流再生信号の直流再生回路３０への供給開始後まで遅らせることが可能となる。
【００６４】
それにより、電源が投入されてからリセット信号が解除されるまでの間に、ＣＣＤ電源が供給されてＣＣＤ２０からのビデオ信号が直流再生回路３０に入力、されてしまってカップリングコンデンサＣに電荷がたまり続けてしまうことがなくなる。
【００６５】
また、ＣＣＤ２０やビデオ回路２１に電源が供給されていない状態でＣＣＤ駆動信号が供給されても、バッファ回路２２ａの入力の段階で保護されるため、電源が供給されていない状態でＣＣＤ２０にＣＣＤ駆動信号が供給されてしまってＣＣＤ２０を破壊してしまうようなことがなくなる。
【００６６】
次に、読取部６の構成の第６例について説明する。
【００６７】
この第６例は、第３例における図６に示した読取部６の構成において、ＣＣＤ２０のＣＣＤ駆動信号入力端子を、入力電圧が電源電圧よりも高い場合でも破壊されない、いわゆるパワーダウンプロテクション回路であるＶＨＣ回路により構成するようにする点である。
【００６８】
それにより、ＣＣＤ２０やビデオ回路２１に電源が供給されていない状態でＣＣＤ駆動信号が供給されても、ＣＣＤ２０のＣＣＤ駆動信号入力端子の段階で保護されるため、電源が供給されていない状態でＣＣＤ２０にＣＣＤ駆動信号が供給されてしまってＣＣＤ２０を破壊してしまうようなことがなくなる。
【００６９】
なお、以上説明した実施の形態においては、本発明を画像読取装置を構成として含む装置であるファクシミリ装置に適用したが、本発明は、原稿画像を読み取って得た画像データの、送信や記録紙への記録等の後段の処理の態様により限定されるものではない。
【００７０】
【発明の効果】
請求項１に係る発明によれば、電源投入初期のリセット信号がアクティブの期間においては、前記直流再生信号を常時ＯＮ状態にするようにしたため、電源が投入されてからリセット信号が解除されるまでの間に前記カップリングコンデンサに電荷がたまり続けることがなくなるため、システム電源投入時にビデオ信号をＡ／Ｄ変換する回路に過大がレベルの信号が入力されることのなく信頼性の高い画像読取装置を提供することが可能となる効果が得られる。
【００７２】
請求項２に係る発明によれば、電源が投入されてからリセット状態が解除されるまでの間に、前記イメージセンサへ電源が供給されて前記イメージセンサからのビデオ信号が前記直流再生回路に入力されてしまって前記カップリングコンデンサに電荷がたまり続けてしまうことがなくなるため、システム電源投入時にビデオ信号をＡ／Ｄ変換する回路に過大がレベルの信号が入力されることのなく信頼性の高い画像読取装置を提供することが可能となる効果が得られる。
【００７３】
請求項３に係る発明によれば、電源が投入されてからリセット状態が解除されるまでの間に、前記イメージセンサへ電源が供給されて前記イメージセンサからのビデオ信号が前記直流再生回路に入力されてしまって前記カップリングコンデンサＣに電荷がたまり続けてしまうことがなくなるばかりでなく、前記イメージセンサや電源が供給されていない状態で前記イメージセンサに駆動信号が供給されて前記イメージセンサを破壊してしまうようなことがなくなるため、いっそう信頼性の高い画像読取装置を提供することが可能となる効果が得られる。
【００７４】
請求項４に係る発明によれば、前記イメージセンサに電源が供給されていない状態で前記イメージセンサに駆動信号が供給されても、前記バッファ回路の入力の段階で保護されるため、電源が供給されていない状態で前記イメージセンサに駆動信号が供給されてしまって前記イメージセンサを破壊してしまうようなことがなくなり、いっそう信頼性の高い画像読取装置を提供することが可能となる効果が得られる。
【００７５】
請求項５に係る発明によれば、前記イメージセンサに電源が供給されていない状態で前記イメージセンサに駆動信号が供給されても、前記イメージセンサの駆動信号入力端子の段階で保護されるため、電源が供給されていない状態で前記イメージセンサに駆動信号が供給されてしまって前記イメージセンサを破壊してしまうようなことがなくなり、いっそう信頼性の高い画像読取装置を提供することが可能となる効果が得られる。
【図面の簡単な説明】
【図１】本発明の実施の形態に係る画像読取装置としてのファクシミリ装置のブロック構成を示す図である。
【図２】本発明の実施の形態に係るファクシミリ装置の読取部の構成の第１例に係るタイミングジェネレータの構成について示す図である。
【図３】本発明の実施の形態に係るファクシミリ装置の読取部の構成の第１例に係るタイミングチャートについて示す図である。
【図４】本発明の実施の形態に係るファクシミリ装置の読取部の構成の第２例に係るタイミングジェネレータの構成について示す図である。
【図５】本発明の実施の形態に係るファクシミリ装置の読取部の構成の第２例に係るタイミングチャートについて示す図である。
【図６】本発明の実施の形態に係るファクシミリ装置の読取部の構成の第３例に係る構成について示す図である。
【図７】本発明の実施の形態に係るファクシミリ装置の読取部の構成の第３例に係るタイミングチャートについて示す図である。
【図８】本発明の実施の形態に係るファクシミリ装置の読取部の構成の第４例に係る構成について示す図である。
【図９】本発明の実施の形態に係るファクシミリ装置の読取部の構成の第４例に係るタイミングチャートについて示す図である。
【図１０】本発明の実施の形態に係るファクシミリ装置の読取部の構成の第５例に係る構成について示す図である。
【図１１】従来の読取部の構成について示す図である。
【図１２】従来の読取部の画像処理部等の構成について示す図である。
【図１３】従来の読取部の構成に係るタイミングチャートについて示す図である。
【符号の説明】
１  ファクシミリ装置
２  システム制御部
３  ＲＯＭ
４  ＲＡＭ
５  記録部
６  読取部
６ａ  センサユニット
６ｂ  画像処理部
７  電源
７ａ  電源スイッチ
８  符号化復号化部
９  操作表示部
１０  モデム
１１  網制御部
１２  システムバス
１３  ＋５Ｖ検知回路
１４  システムリセット回路
２０  ＣＣＤ
２１  ビデオ回路
２２、２２ａ  バッファ回路
２３  バッファ用電源回路
３０  直流再生回路
３１  Ａ／Ｄ変換回路
３１ａ  上限基準電圧
３１ｂ  下限基準電圧
３２  ２値化回路
３３  タイミングジェネレータ
４０  各種制御信号発生回路
４１  直流再生信号発生回路
４２  ＣＣＤ駆動信号発生回路
４３  マルチプレクサ
Ｃ  カップリングコンデンサ
ＡＳＷ  アナログスイッチ
Ｇ１、Ｇ２  アンドゲート
Ｒ１  抵抗
Ｃ１  コンデンサ
ＳＷ１  スイッチ
【図１】
0003944601.tif 000002
【図２】
0003944601.tif 000003
【図３】
0003944601.tif 000004
【図４】
0003944601.tif 000005
【図５】
0003944601.tif 000006
【図６】
0003944601.tif 000007
【図７】
0003944601.tif 000008
【図８】
0003944601.tif 000009
【図９】
0003944601.tif 000010
【図１０】
0003944601.tif 000011
【図１１】
0003944601.tif 000012
【図１２】
0003944601.tif 000013
【図１３】
0003944601.tif 000014